【事件の表示】
　特願２０１３−１８７６７０「遊技機」拒絶査定不服審判事件〔平成２７年　３月２３日出願公開、特開２０１５−　５３９９０〕について、次のとおり審決する。
【結　論】
　本件審判の請求は、成り立たない。
【理　由】
第１　手続の経緯  
　本願は、平成２５年９月１０日の出願であって、平成２８年３月７日付けで拒絶の理由が通知され、平成２８年５月１６日に意見書及び手続補正書が提出されたところ、平成２８年１０月３１日付けで拒絶査定がなされ、それに対して、平成２９年２月７日に拒絶査定不服審判の請求がなされると同時に明細書及び特許請求の範囲に係る手続補正がなされたものである。
　
第２　平成２９年２月７日付けの手続補正についての補正却下の決定  
［補正却下の決定の結論］  
　平成２９年２月７日付けの手続補正（以下「本件補正」という。）を却下する。
［理由］  
１　補正の内容
　本件補正は、特許請求の範囲を補正する内容を含んでおり、本件補正により、特許請求の範囲の請求項１は、
「【請求項１】
　所定の遊技を行う遊技機であって、
　遊技に関連する演出音を出力可能な演出音出力部と、
　遊技者が操作可能な操作部と、
　前記演出音出力部から出力される演出音の音量を、該遊技機が設置されている遊技店側が設定可能な第１設定手段と、
　前記演出音出力部から出力される演出音の音量を、前記操作部を操作することにより遊技者が設定可能な第２設定手段と、
　前記操作部の操作がなされたときに、該操作後に前記第２設定手段により設定される音量に対応する確認音を前記演出音出力部から出力するための処理を実行する確認音出力手段と、
　前記第２設定手段にて設定される音量を認識可能に表示する表示手段と、
　を備え、
　前記第２設定手段は、所定範囲内で音量の設定が可能であり、
　前記確認音出力手段は、前記第２設定手段により設定される音量が所定範囲の限界にある場合において、当該音量を所定範囲外へ変更するように前記操作部の操作がなされたときには所定範囲の限界の音量に対応した処理を実行し、
　前記表示手段は、前記第１設定手段により新たに音量が設定された場合には、当該新たに設定された音量にもとづき、前記第２設定手段にて設定される音量表示を行う
　ことを特徴とする遊技機。」
から、
「【請求項１】
Ａ　
可変表示を行う遊技が可能な
Ｂ　遊技に関連する演出音を出力可能な演出音出力部と、
Ｃ　遊技者が操作可能な操作部と、
Ｄ　
前記操作部が操作されることによって
の範囲
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｈ　
前記操作部は、音量に関連する設定で使用され、予告を発生させることでは使用されず、
Ｉ　前記第２設定手段は、
前記第１設定手段により設定された設定
可変表示の実行中も
Ｊ　前記確認音出力手段は、前記第２設定手段により設定される音量が
設定
設定
設定
Ｋ　前記表示手段は、前記第１設定手段により新たに音量
の設定範囲
の設定範囲
　ことを特徴とする遊技機。」
に補正された（下線は、補正箇所を明示するために審決にて付した。また、当審においてＡ〜Ｋに分説した。）。
　
２　補正の適否について
　上記補正は、補正前の請求項１に記載した発明を特定するために必要な事項である「遊技機」に関して、「可変表示を行う遊技が可能な」と限定し、「第１設定手段」に関して、「前記操作部が操作されることによって前記演出音出力部から出力される演出音の音量の範囲を、」「設定可能な」と限定し、「操作部」に関して、「音量に関連する設定で使用され、予告を発生させることでは使用されず、」と限定し、「第２設定手段」に関して、「前記第１設定手段により設定された設定範囲内で可変表示の実行中も音量の設定が可能であり、」と限定するとともに、「確認音出力手段」に関して、「所定範囲」を「設定範囲」と限定し、「表示手段」に関して、「音量」を「音量の設定範囲」と限定するものであって、かつ、補正前の請求項に記載された発明と補正後の請求項に記載された発明の産業上の利用分野及び解決しようとする課題が同一であるので、特許法第１７条の２第５項第２号の特許請求の範囲の減縮を目的とするものである。
　そして、本件補正は、新規事項を追加するものではない。
３　独立特許要件について
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について、以下に検討する。
　
（１）刊行物１
　原査定の拒絶の理由に引用文献１として引用された特開２００７−８９６４９号公報（以下「刊行物１」という。）には、図面とともに以下の事項が記載されている。
（１−ａ）「【０００１】
　
本発明は、パチンコ機に代表される遊技機に関し
　・・・
【０００７】
　本発明は、上述した課題を解決するために、遊技者が特定の音声の音量を自由に調節できるようにすると共に、遊技者によって一旦調節がなされた後の再度の音量調節における煩雑さを低減することを目的とする。」
（１−ｂ）「【００５９】
　上記特別図柄表示装置３８は、
第１の始動口３３への入賞をトリガとして識別情報としての特別図柄を変動表示し、上記装飾図柄表示装置４２は特別図柄の変動表示に対応した装飾図柄を変動表示し
（１−ｃ）「【００９４】
　サブ制御装置２６２は、主制御装置２６１からのコマンドに基づいて
装飾図柄の変動表示に応じた演出用スピーカ６１０等の鳴動制御
音量調節を行うための音量入力装置６２０の音量調節ボタン８１
（１−ｄ）「【０１６３】
　ここで、図２０を参照して、可変音量変更処理Ｓ１０３７について具体例に基づいて説明する。なお、図２０に示された
可変音量変更処理Ｓ１０３７に基づく音量調節は、装飾図柄の変動が行われていない場合のみに行える。
　・・・
【０１９５】
　（音響に関連する主たる構成）
　ここで、本発明のパチンコ機の主たる特徴部分の構成について、図２８を参照して説明する。図２８は、本形態に係るパチンコ機１０の音響に関連する部分を機能的な観点から表したブロック図である。図２８に示されたように、本形態のパチンコ機１０は、遊技盤３０（図３及び図４参照）と、発射装置３８と、音響制御手段７００と、発射制御手段７１０と、音声制御手段７２０と、音量系統情報保持手段７０１と、音量情報保持手段７０２と、設定音量情報保持手段７０３と、音量制御手段７３０と、音響装置６１０と、音量入力装置６２０と、候補音量情報保持手段７０４と、設定音量制御手段７４０と、標準音量情報保持手段７０５と、待機時間保持手段７０６と、音量リセット手段７５０とを備える。パチンコ機１０において、
遊技者による音量入力装置６２０の操作に応じて設定音量制御手段７４０が特定の音量系統（遊技者可変の各音量系統）に対応する音量を調節すること
（１−ｅ）「【０２１６】
　本形態では、
設定音量制御手段７４０は、候補音量決定部７４１、候補音量変更部７４２及び設定音量変更部７４３とで構成されている。
【０２１７】
　音量告知手段７６０は、少なくとも選択音量系統群を含む所定の音量系統群に対応する候補音量情報を告知する。本形態では、
音量告知手段７６０は、サブ制御装置２６２における音量表示信号情報部７６１と、表示制御装置４５における音量表示画像制御部６９０とで構成される。
【０２１８】
　ここで、具体的な音量調節動作の一例について、図３２をも参照して説明する。まず、音量調節ボタン８１の任意の端部（上端部、下端部、左端部又は右端部）を押下して、音量調節を開始する。音量調節ボタン８１の任意の端部が押下されると、図３２に示されたように、装飾図柄表示装置４２に音量表示画像６５１が表示される。なお、装飾図柄表示装置４２において
装飾図柄が変動中である場合には、音量調節ボタンの４つの端部のいずれが押下されても音量調節は開始されない
（１−ｆ）「【０２２５】
　詳細には、以下の処理を経て、音量表示画像６５２が表示される。
入力情報検知手段６２１において、音量調節ボタン８１の左端部の押下が検出され、
候補音量決定部７４１は、ＲＡＭ５５２に保存された左押下情報を確認した（図２０のＳ１７０１参照）後に、第１の音量系統の候補音量値よりも１だけ小さい新たな候補音量値が第１の音量系統の音量値の選択範囲内であれば、第１の音量系統の候補音量値を新たな候補音量値に更新する（図２０のＳ１７０９参照）。なお、新たな候補音量値が第１の音量系統の音量値の選択範囲を超える場合には、候補音量値を現在の候補音量値にする。これは、実質的には、候補音量値の更新が行われないことを意味する。候補音量値の更新後に、音量表示情報生成部７６１は、第１の音量系統の候補音量値が１だけ減少したことを表す音量表示更新情報（音量表示情報の一種）を生成し、音量表示更新情報を含む音量表示更新信号を表示制御装置４５の音量表示画像制御部６９０に送信する
音量表示画像制御部６９０は、音量表示更新信号の受信を確認した後に、音量表示更新情報に応じた音量表示画像６５３を装飾図柄表示装置４２に表示させるための画像信号を生成する。装飾図柄表示装置４２は、画像信号に応じて音量表示画像６５３を形成する。
　・・・
【０２４４】
　上記においては、
候補音量情報の告知を画像表示装置における画像表示で行ったが、音響装置によって特定の音声を候補音量情報に対応する音量で出力することによって候補音量情報を告知してもよい。この場合、図３８に示されたように、音量告知制御手段７６０は、更に、候補音量情報に対応する音量を決定し、候補音量信号を生成する音量決定部７６２と、特定の音声パターン（単なるビープ音）を決定し、候補音声信号を生成する音声決定部７６３とを備える。音響装置６１０では、候補音声信号に応じた音声を候補音量信号に応じた音量で出力する。
（１−ｇ）段落【０００１】には、「本発明は、パチンコ機に代表される遊技機に関し」と記載され、段落【００５９】には、「第１の始動口３３への入賞をトリガとして識別情報としての特別図柄を変動表示し、上記装飾図柄表示装置４２は特別図柄の変動表示に対応した装飾図柄を変動表示し」と記載されているから、刊行物１には、
第１の始動口３３への入賞をトリガとして特別図柄を変動表示し、特別図柄の変動表示に対応して装飾図柄を変動表示する遊技機
（１−ｈ）段落【００９４】には、サブ制御装置２６２の機能として「装飾図柄の変動表示に応じた演出用スピーカ６１０等の鳴動制御」が記載されているから、刊行物１には、
装飾図柄の変動表示に応じて鳴動制御される演出用スピーカ６１０
（１−ｉ）段落【００９４】には「音量調節を行うための音量入力装置６２０の音量調節ボタン８１」が記載され、段落【０１９５】には「遊技者による音量入力装置６２０の操作に応じて設定音量制御手段７４０が特定の音量系統（遊技者可変の各音量系統）に対応する音量を調節すること」が記載されているから、刊行物１には、
遊技者が音量調節を行うための音量入力装置６２０の音量調節ボタン８１
（１−ｊ）段落【０１９５】には「遊技者による音量入力装置６２０の操作に応じて設定音量制御手段７４０が特定の音量系統（遊技者可変の各音量系統）に対応する音量を調節すること」が記載され、「音量」は、上記（１−ｈ）で検討したとおり、「演出用スピーカ６１０」から出力される音量であり、「音量入力装置６２０の操作」とは、上記（１−ｉ）で検討したとおり、音量入力装置６２０の音量調節ボタン８１の操作であるから、刊行物１には、
前記演出用スピーカ６１０から出力される音量を、遊技者による音量調節ボタン８１の操作に応じて決定する設定音量制御手段７４０
（１−ｋ）段落【０２２５】には「入力情報検知手段６２１において、音量調節ボタン８１の左端部の押下が検出され、左端部の押下を表す左押下情報（変更入力情報の一種）がＲＡＭ５５２に保存される。候補音量決定部７４１は、ＲＡＭ５５２に保存された左押下情報を確認した（図２０のＳ１７０１参照）後に、第１の音量系統の候補音量値よりも１だけ小さい新たな候補音量値が第１の音量系統の音量値の選択範囲内であれば、第１の音量系統の候補音量値を新たな候補音量値に更新する（図２０のＳ１７０９参照）。なお、新たな候補音量値が第１の音量系統の音量値の選択範囲を超える場合には、候補音量値を現在の候補音量値にする。これは、実質的には、候補音量値の更新が行われないことを意味する」ことが記載されている。また、段落【０２１６】には、「設定音量制御手段７４０は、候補音量決定部７４１、候補音量変更部７４２及び設定音量変更部７４３とで構成されている」ことが記載されている。
　よって、これを整理すると、刊行物１には、
音量調節ボタン８１の押下が入力情報検知手段６２１により検出され、新たな候補音量値が音量値の選択範囲内であれば、候補音量値を更新し、新たな候補音量値が音量値の選択範囲を超える場合には、候補音量値を現在の候補音量値として、候補音量値の更新を行わない設定音量制御手段７４０の候補音量決定部７４１
　そして、段落【０２２５】には、続けて、「候補音量値の更新後に、音量表示情報生成部７６１は、第１の音量系統の候補音量値が１だけ減少したことを表す音量表示更新情報（音量表示情報の一種）を生成し、音量表示更新情報を含む音量表示更新信号を表示制御装置４５の音量表示画像制御部６９０に送信する。」「音量表示画像制御部６９０は、音量表示更新信号の受信を確認した後に、音量表示更新情報に応じた音量表示画像６５３を装飾図柄表示装置４２に表示させるための画像信号を生成する。装飾図柄表示装置４２は、画像信号に応じて音量表示画像６５３を形成する。」と記載されているが、これは、図２８にも示すとおり、音量告知制御手段７６０の音量表示情報生成部７６１、音量表示画像生成部６９０により、装飾図柄表示装置４２に音量表示画像を表示させるものである。
　一方、段落【０２４４】には、「上記においては、候補音量情報の告知を画像表示装置における画像表示で行ったが、音響装置によって特定の音声を候補音量情報に対応する音量で出力することによって候補音量情報を告知してもよい。この場合、図３８に示されたように、音量告知制御手段７６０は、更に、候補音量情報に対応する音量を決定し、候補音量信号を生成する音量決定部７６２と、特定の音声パターン（単なるビープ音）を決定し、候補音声信号を生成する音声決定部７６３とを備える。」と記載されており、このことは、段落【０２２５】の候補音量決定部７４１により決定された候補音量値で音量告知制御手段７６０の音量決定部７６２及び音声決定部７６３により出力することを意味するものである。
　よって、刊行物１には、
候補音量決定部７４１により決定された候補音量値に対応する音量で特定の音声パターンを演出用スピーカ６１０から出力させる音量告知制御手段７６０の音量決定部７６２及び音声決定部７６３
（１−ｌ）段落【０２４４】には、上記（１−ｋ）で検討したとおり、音声を候補音量情報に対応する音量で出力する場合に、音量告知制御手段７６０は、更に、音量決定部７６２と音声決定部７６３とを備える旨、記載されており、「更に」と記載されているから、音量で出力する場合においても、音量告知制御手段７６０として、音量表示画像を表示させる音量表示情報生成部７６１、音量表示画像生成部６９０の構成を有しているといえる。
　そして、図３８には、音量告知制御手段７６０として、候補音量値で音声を出力する音量決定部７６２及び音声決定部７６３と、音量表示画像を表示させる音量表示情報生成部７６１及び音量表示画像生成部６９０と、共に設けた点が示されている。
　よって、段落【０２２５】の記載から、刊行物１には、
設定音量制御手段７４０の候補音量決定部７４１により決定された候補音量値が、音量表示情報生成部７６１及び音量表示画像制御部６９０を通じて、音量表示画像６５３として表示される装飾図柄表示装置４２
（１−ｍ）段落【０１６３】には、「可変音量変更処理Ｓ１０３７に基づく音量調節は、装飾図柄の変動が行われていない場合のみに行える。」と記載されており、上記（１−ｊ）で検討したとおり、設定音量制御手段７４０は、遊技者による音量調節ボタン８１の操作に応じて音量を決定するものといえる。
　よって、刊行物１には、
設定音量制御手段７４０による音量調節は、装飾図柄の変動が行われていない場合のみに行う
　上記（１−ａ）〜（１−ｆ）の記載事項及び（１−ｇ）〜（１−ｍ）の認定事項を総合すると、刊行物１には、次の発明が記載されていると認められる（以下「刊行物１発明」という。）。
「ａ　第１の始動口３３への入賞をトリガとして特別図柄を変動表示し、特別図柄の変動表示に対応して装飾図柄を変動表示する遊技機であって、
ｂ　装飾図柄の変動表示に応じて鳴動制御される演出用スピーカ６１０と、
ｃ、ｈ　遊技者が音量調節を行うための音量入力装置６２０の音量調節ボタン８１と、
ｅ　前記演出用スピーカ６１０から出力される音量を、遊技者による音量調節ボタン８１の操作に応じて決定する設定音量制御手段７４０と、
ｆ１、ｊ　音量調節ボタン８１の押下が入力情報検知手段６２１により検出され、新たな候補音量値が音量値の選択範囲内であれば、候補音量値を更新し、新たな候補音量値が音量値の選択範囲を超える場合には、候補音量値を現在の候補音量値として、候補音量値の更新を行わない設定音量制御手段７４０の候補音量決定部７４１と、
ｆ２　候補音量決定部７４１により決定された候補音量値に対応する音量で特定の音声パターンを演出用スピーカ６１０から出力させる音量告知制御手段７６０の音量決定部７６２及び音声決定部７６３と、
ｇ　設定音量制御手段７４０の候補音量決定部７４１により決定された候補音量値が、音量表示情報生成部７６１及び音量表示画像制御部６９０を通じて、音量表示画像６５３として表示される装飾図柄表示装置４２と、
　を備え、
ｉ　設定音量制御手段７４０による音量調節は、装飾図柄の変動が行われていない場合のみに行う遊技機。」
（２）刊行物２
　原査定において周知技術を示す文献として引用された特開２００５−２８８０２０号公報（以下「刊行物２」という。）には、図面とともに以下の事項が記載されている。
（２−ａ）「【００８９】
　図１０に示すように、
図柄の変動表示が行われ（Ａ、Ｂ）
【００９０】
　
図１０Ａ、Ｂでは画面の右上に「音量調整可能期間」と表示されているとおり、特定の変動パターンであっても、この時点ではまだ音量調整が可能である。
（２−ｂ）「【０１１６】
　実施例は、図３で説明したように、ホール用（遊技者が操作できない）の音量調整手段が設けられており、上述した初期音量が店員によって変更可能になっているが、このような構成に限らず、例えば
ホール用にて大まかな音量調整ができるようにし、操作ボタン７５での音量調整は限られた範囲での細かい音量調整のみできるようにしてもよい。
（３）刊行物３
　原査定において周知技術を示す文献として引用された特開２０１１−２００５１１号公報（以下「刊行物３」という。）には、図面とともに以下の事項が記載されている。
（３−ａ）「【０１０５】
　音声出力基板７０には、図４に示すように、各スピーカ２７Ｌ，２７Ｒ、２７ａ，２７ｂから出力する音の音量を、遊技場が音量範囲設定部８３にて設定した初期音量或いは、
遊技場が音量範囲設定部８３にて設定した範囲内で遊技者が変更した音量に増幅する
（３−ｂ）「【０４０６】
　一方、イアホン端子装着部６２にイアホンが装着されていない場合には、Ｓｈ９のステップに進み、
音量範囲設定部８３の設定回転子８３ａにて設定されている上限音量と下限音量、並びにＲＡＭ８５の所定領域に格納されている現在において設定されているスピーカ音量（これらスピーカ音量が格納されていないときには、音量範囲設定部８３の設定回転子８３ａにて設定されている初期音量）を特定し、該特定した上限音量と下限音量と、設定されているスピーカ音量とが表示された図１３（ｂ）に示すスピーカ音量設定画面を変動表示装置９に表示する
（３−ｃ）「【０４４１】
　また、前記実施例では、これら遊技者による音量の変更を操作レバーの操作により実施するようにしており、このようにすることは、音量変更のための専用の操作部を個別に設ける必要がなく、遊技機のコスト上昇を回避できることから好ましいが、本発明はこれに限定されるものではなく、これら
音量変更のための専用の操作部を、遊技機の前面側に、遊技者が操作可能に設ける
（４）対比
　本願補正発明と刊行物１発明とを対比する（下記の（ａ）〜（ｊ）は、刊行物１発明の構成に対応している。）。
（ａ）刊行物１発明は、「特別図柄」と「装飾図柄」が共に変動するものであるから、可変表示を行う遊技が可能であるといえる。
　よって、刊行物１発明の「第１の始動口３３への入賞をトリガとして特別図柄を変動表示し、特別図柄の変動表示に対応して装飾図柄を変動表示する遊技機」は、本願補正発明の「可変表示を行う遊技が可能な遊技機」に相当する。
（ｂ）刊行物１発明の「装飾図柄の変動表示」は遊技に関連する表示であり、「鳴動制御される」ことは、演出音が出力されることであることは明らかである。
　よって、刊行物１発明の「装飾図柄の変動表示に応じて鳴動制御される演出用スピーカ６１０」は、本願補正発明の「遊技に関連する演出音を出力可能な演出音出力部」に相当する。
（ｃ、ｈ）刊行物１発明の「遊技者が音量調節を行う」ためには、遊技者が操作可能であることは自明な事項である。
　よって、刊行物１発明の「遊技者が音量調節を行うための音量入力装置６２０の音量調節ボタン８１」は、本願補正発明の「遊技者が操作可能な操作部」に相当する。
　また、刊行物１発明の「遊技者が音量調節を行う」ことは、本願補正発明の「音量に関連する設定で使用され」ることと同様の意味であるから、刊行物１発明の「遊技者が音量調節を行うための音量入力装置６２０の音量調節ボタン８１」と、本願補正発明の「操作部は、音量に関連する設定で使用され、予告を発生させることでは使用され」ないこととは、「操作部は、音量に関連する設定で使用され」る点において、共通する。
（ｅ）刊行物１発明の「演出用スピーカ６１０から出力される音量」は、本願補正発明の「演出音出力部から出力される演出音の音量」に相当し、刊行物１発明の「音量調節ボタン８１」は、本願補正発明の「操作部」に相当する。
　よって、刊行物１発明の「演出用スピーカ６１０から出力される音量を、遊技者による音量調節ボタン８１の操作に応じて決定する設定音量制御手段７４０」は、本願補正発明の「演出音出力部から出力される演出音の音量を、操作部を操作することにより遊技者が設定可能な第２設定手段」に相当する。
（ｆ、ｊ）刊行物１発明の「音量調節ボタン８１の押下」は、本願補正発明の「操作部の操作」に相当し、刊行物１発明の「設定音量制御手段７４０の候補音量決定部７４１」において、「新たな候補音量値」の「更新を行う」又は「更新を行わない」ことにより決定された「候補音量値」は、本願補正発明の「第２設定手段により設定される音量」に相当し、刊行物１発明の「特定の音声パターン」、「演出用スピーカ」は、本願補正発明の「確認音」、「演出音出力部」に、それぞれ、相当する。
　よって、刊行物１発明の「音量調節ボタン８１の押下が入力情報検知手段６２１により検出され、新たな候補音量値が音量値の選択範囲内であれば、候補音量値を更新し、新たな候補音量値が音量値の選択範囲を超える場合には、候補音量値を現在の候補音量値として、候補音量値の更新を行わない設定音量制御手段７４０の候補音量決定部７４１」及び「候補音量決定部７４１により決定された候補音量値に対応する音量で特定の音声パターンを演出用スピーカ６１０から出力させる音量告知制御手段７６０の音量決定部７６２及び音声決定部７６３」は、本願補正発明の「前記操作部の操作がなされたときに、該操作後に前記第２設定手段により設定される音量に対応する確認音を前記演出音出力部から出力するための処理を実行する確認音出力手段」に相当する。
　そして、刊行物１発明の「新たな候補音量値が音量値の選択範囲を超える場合」は、そのような「音量調節ボタンの押下」がなされたときであることは明らかであるから、本願補正発明の「設定される音量が設定範囲の限界にある場合において、当該音量を設定範囲外へ変更するように前記操作部の操作がなされたとき」に相当し、刊行物１発明の「候補音量値を現在の候補音量値として、候補音量値の更新を行わない」は、本願補正発明の「設定範囲の限界の音量に対応した処理を実行」する点に相当する。
　よって、刊行物１発明の上記「設定音量制御手段７４０の候補音量決定部７４１」の構成のうち「新たな候補音量値が音量値の選択範囲を超える場合には、候補音量値を現在の候補音量値として、候補音量値の更新を行わない」点は、本願補正発明の「前記確認音出力手段は、前記第２設定手段により設定される音量が設定範囲の限界にある場合において、当該音量を設定範囲外へ変更するように前記操作部の操作がなされたときには設定範囲の限界の音量に対応した処理を実行」する点に相当する。
（ｇ）刊行物１発明の「設定音量制御手段７４０の候補音量決定部７４１により決定された候補音量値」は、本願補正発明の「前記第２設定手段にて設定される音量」に相当し、刊行物１発明の「装飾図柄表示装置４２」は、本願補正発明の「表示手段」に相当する。
　よって、刊行物１発明の「設定音量制御手段７４０の候補音量決定部７４１により決定された候補音量値が、音量表示情報生成部７６１及び音量表示画像制御部６９０を通じて、音量表示画像６５３として表示される装飾図柄表示装置４２」は、本願補正発明の「前記第２設定手段にて設定される音量を認識可能に表示する表示手段」に相当する。
　したがって、本願補正発明と刊行物１発明とは、
「Ａ　可変表示を行う遊技が可能な遊技機であって、
Ｂ　遊技に関連する演出音を出力可能な演出音出力部と、
Ｃ　遊技者が操作可能な操作部と、
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｈ’前記操作部は、音量に関連する設定で使用され、
Ｊ　前記確認音出力手段は、前記第２設定手段により設定される音量が設定範囲の限界にある場合において、当該音量を設定範囲外へ変更するように前記操作部の操作がなされたときには設定範囲の限界の音量に対応した処理を実行する、
遊技機。」
である点で一致し、以下の点で相違する。
［相違点１］
　本願補正発明は、「操作部が操作されることによって演出音出力部から出力される演出音の音量の範囲を、遊技機が設置されている遊技店側が設定可能な第１設定手段」を備え、「表示手段は、第１設定手段により新たに音量の設定範囲が設定された場合には、当該新たに設定された音量の設定範囲にもとづき、第２設定手段にて設定される音量表示を行う」のに対して、刊行物１発明は、そのような構成を有していない点。（構成Ｄ、Ｋ）
［相違点２］
　本願補正発明は、「第２設定手段は、前記第１設定手段により設定された設定範囲内で可変表示の実行中も音量の設定が可能」であるのに対し、刊行物１発明は、そのような構成を有していない点。（構成Ｉ）
［相違点３］
　本願補正発明は、「操作部」が「予告を発生させることでは使用され」ないのに対して、刊行物１発明は、音量調節ボタン８１が予告を発生させることで使用されるかどうか不明である点。（構成Ｈ）
（５）判断
ア　上記相違点１について検討する。
　遊技機の技術分野において、遊技者により操作部が操作されて設定される演出音の音量の範囲を、遊技店側が設定可能な設定手段を備え、表示手段は、遊技店側が設定手段により音量の設定範囲を設定した場合には、その設定範囲に基づき、操作部により設定される音量表示を行う点は、本願出願前において、周知の技術である。
（例えば、特開２０１１−２２９７６６号公報の段落【００８５】には、遊技者によって調整可能な調整範囲が遊技店の管理者によって予め決定されている点、段落【００８６】、図８には、遊技機１は本来は音量値０〜５までの範囲で設定可能であるが、予め遊技店側で最大値のレベルを音量値４までとし、音量値５は音量バーの表示から除外されるようにする点が記載され、刊行物３（特開２０１１−２００５１１号公報）の段落【０１０５】には、遊技場が音量範囲設定部８３にて設定した範囲内で遊技者が変更した音量に変更する点、段落【０４０６】、図１３には、音量範囲設定部８３にて設定されている上限音量と下限音量とスピーカ音量とが表示されたスピーカ音量設定画面を変動表示装置９に表示する点が記載され、刊行物２（特開２００５−２８８０２０号公報）の段落【０１１６】には、ホール用音量調整手段にて大まかな音量調整ができるようにし、操作ボタン７５での音量調整は限られた範囲での細かい音量調整のみできるようにする点が記載されている。）
　刊行物１発明と周知の技術とは、音量調節が可能な操作部を有する遊技機である点で共通するものである。また、遊技機の音量を遊技店側が望まない音量に遊技者が設定することを防止して音量を適切な範囲に維持することは、刊行物１発明においても内在する課題であるといえる。
　よって、刊行物１発明において音量を適切な範囲に維持するために周知の技術を適用し、遊技店側が音量の範囲を設定可能な設定手段（第１設定手段）を備え、表示手段は、設定手段（第１設定手段）により新たに音量の設定範囲を設定した場合には、その設定範囲に基づき、遊技者による操作部の操作による設定手段（第２設定手段）にて設定される音量表示を行うように構成し、上記相違点１に係る本願補正発明の構成とすることは、当業者が容易になし得たことである。
イ　上記相違点２について検討する。
　刊行物２の段落【００８９】、【００９０】、図１０には、図柄の変動表示中に遊技者が操作ボタンを操作することで音量を調整可能な遊技機が記載されている（以下「刊行物２記載の事項」という。）。
　また、遊技者により操作部が操作されて設定される演出音の音量の範囲を、遊技店側が設定可能な設定手段を備えることは、上記アで検討したとおり、周知の技術である。
　刊行物１発明、刊行物２記載の事項及び周知の技術は、いずれも音量調節が可能な操作部を有する遊技機である点で共通するものである。
　よって、刊行物１発明に刊行物２記載の事項及び周知の技術を併せて適用し、遊技者による操作部の操作による設定手段（第２設定手段）は、遊技店側の設定手段（第１設定手段）により設定された設定範囲内で可変表示の実行中も音量の設定が可能となるように構成し、上記相違点２に係る本願補正発明の構成とすることは、当業者が容易になし得たことである。
ウ　上記相違点３について検討する。
　刊行物３の段落【０４４１】には、音量変更のための専用の操作部を、遊技機の前面側に、遊技者が操作可能に設けた遊技機が記載されている（以下「刊行物３記載の事項」という。）。
　刊行物１発明と刊行物３記載の事項とは、音量調節が可能な操作部を有する遊技機である点で共通するものである。
　よって、刊行物１発明に刊行物３記載の事項を適用し、音量調節ボタン８１を音量変更のための専用の操作部として、予告を発生させることでは使用されないように構成し、上記相違点３に係る本願補正発明の構成とすることは、当業者が容易になし得たことである。
エ　本願補正発明が奏する効果について
　上記相違点によって本願補正発明が奏する効果は、当業者が刊行物１発明、刊行物２記載の事項、刊行物３記載の事項及び周知の技術から予測し得る程度のものであって、格別のものではない。　
オ　請求人の主張について
　請求人は、審判請求書において「引用文献１では、可変表示の実行中の音量調節を積極的に中止しており、可変表示の実行中に音量調整を可能とすることはできない上に、遊技店側で音量の範囲が設定可能な点については、何ら開示も示唆もされていないことからも、仮に、各構成が周知技術であったとしても、本発明のように、演出ボタンとは異なるような操作部を操作すれば、演出ボタンの操作によらずに可変表示の実行中でも音量設定を的確に行うことができるという効果や、可変表示の実行中も、設定範囲の限界の音量に対応した処理を実行するため、遊技に支障をきたすことなく音量設定ができ、さらに、可変表示の実行に伴い演出が実行され演出音が出力されている場合に確認音が聞きにくくなっても、表示手段により設定される音量を認識できるという相乗効果を奏するものではありません。 
　従って、引用文献１に記載された発明に、従来周知の技術的事項を組み合わせたとしても、本発明の構成に到るものではないと思料致します。」と主張する（第１６頁第１９行〜第１７頁第２行）。
　しかしながら、上記（５）ア〜ウで検討したとおり、図柄の変動表示中に遊技者が操作ボタンを操作することで音量を調整可能な点は、刊行物２記載の事項として開示され、遊技者により操作部が操作されて設定される演出音の音量の範囲を、遊技店側が設定可能な設定手段を備える点は、周知の技術であり、音量変更のための専用の操作部を、遊技者が操作可能に設けた点は刊行物３記載の事項として開示されており、これらを刊行物１発明に組み合わせることを阻害する特段の事情も見当たらないから、刊行物１発明に、刊行物２記載の事項、刊行物３記載の事項及び周知の技術を適用し、上記相違点１〜３に係る本願補正発明の構成とすることは、当業者が容易になし得たことである。
　そして、請求人の主張する効果も、刊行物１発明、刊行物２記載の事項、刊行物３記載の事項及び周知の技術から予測し得る程度のものであるといえる。
　よって、請求人の上記主張は採用できない。
（６）まとめ
　以上のように、本願補正発明は、当業者が刊行物１発明、刊行物２記載の事項、刊行物３記載の事項及び周知の技術に基づいて容易に発明をすることができたものであるから、特許法第２９条第２項の規定により、特許出願の際独立して特許を受けることができない。
　
４　むすび
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願発明について  
１　本願発明  
　本件補正は上記のとおり却下されたので、本願の請求項１、２に係る発明は、平成２８年５月１６日付け手続補正書により補正された特許請求の範囲の請求項１、２に記載されたとおりのものであるところ、請求項１に係る発明（以下「本願発明」という。当審において、Ａ〜Ｋに分説した。）は、次のとおりである。
「【請求項１】
Ａ　所定の遊技を行う遊技機であって、
Ｂ　遊技に関連する演出音を出力可能な演出音出力部と、
Ｃ　遊技者が操作可能な操作部と、
Ｄ　前記演出音出力部から出力される演出音の音量を、該遊技機が設置されている遊技店側が設定可能な第１設定手段と、
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｉ　前記第２設定手段は、所定範囲内で音量の設定が可能であり、
Ｊ　前記確認音出力手段は、前記第２設定手段により設定される音量が所定範囲の限界にある場合において、当該音量を所定範囲外へ変更するように前記操作部の操作がなされたときには所定範囲の限界の音量に対応した処理を実行し、
Ｋ　前記表示手段は、前記第１設定手段により新たに音量が設定された場合には、当該新たに設定された音量にもとづき、前記第２設定手段にて設定される音量表示を行う
　ことを特徴とする遊技機。」
２　刊行物  
　刊行物１及びその記載事項、並びに刊行物１発明は、上記「第２　３（１）」に記載したとおりである。  
  
３　対比・判断  
　本願発明は、本願補正発明を特定するために必要な事項である「遊技機」に関して、「可変表示を行う遊技が可能な」という限定を省き、「第１設定手段」に関して、「前記操作部が操作されることによって前記演出音出力部から出力される演出音の音量の範囲を、」「設定可能な」との限定を省き、「操作部」に関して、「音量に関連する設定で使用され、予告を発生させることでは使用されず、」との限定を省き、「第２設定手段」に関して、「前記第１設定手段により設定された設定範囲内で可変表示の実行中も音量の設定が可能であり、」との限定を省くともに、「確認音出力手段」に関して、「設定範囲」の限定を「所定範囲」の記載に戻し、「表示手段」に関して、「音量の設定範囲」の限定を「音量」の記載に戻すものである。
　本願発明と刊行物１発明とを対比する。刊行物１発明の構成ａ〜ｇ、ｊ、ｋについては「第２　３（４）」で検討したとおりである。
　そして、構成ｉについて、刊行物１発明の「設定音量制御手段７４０」は、本願発明の「第２設定手段」に相当する。また。刊行物１発明の「設定音量制御手段７４０の候補音量決定部７４１」において、新たな候補音量値が音量値の選択範囲内であれば、候補音量値を更新するから、設定音量制御手段７４０における音量調節は、所定範囲内で音量設定が可能であるといえる。
　よって、刊行物１発明の「設定音量制御手段７４０による音量調節は、装飾図柄の変動が行われていない場合のみに行う」ことは、本願発明の「第２設定手段は、所定範囲内で音量の設定が可能であ」ることに相当する。
　したがって、本願発明と刊行物１発明とは、
「Ａ　所定の遊技を行う遊技機であって、
Ｂ　遊技に関連する演出音を出力可能な演出音出力部と、
Ｃ　遊技者が操作可能な操作部と、
Ｅ　前記演出音出力部から出力される演出音の音量を、前記操作部を操作することにより遊技者が設定可能な第２設定手段と、
Ｆ　前記操作部の操作がなされたときに、該操作後に前記第２設定手段により設定される音量に対応する確認音を前記演出音出力部から出力するための処理を実行する確認音出力手段と、
Ｇ　前記第２設定手段にて設定される音量を認識可能に表示する表示手段と、
　を備え、
Ｉ　前記第２設定手段は、所定範囲内で音量の設定が可能であり、
Ｊ　前記確認音出力手段は、前記第２設定手段により設定される音量が所定範囲の限界にある場合において、当該音量を所定範囲外へ変更するように前記操作部の操作がなされたときには所定範囲の限界の音量に対応した処理を実行する遊技機。」
である点で一致し、以下の点で相違する。
［相違点１’］
　本願発明は、「演出音出力部から出力される演出音の音量の範囲を、遊技機が設置されている遊技店側が設定可能な第１設定手段」を備え、「表示手段は、第１設定手段により新たに音量の設定範囲が設定された場合には、当該新たに設定された音量の設定範囲にもとづき、第２設定手段にて設定される音量表示を行う」のに対して、刊行物１発明は、そのような構成を有していない点。（構成Ｄ、Ｋ）
　上記相違点１’について検討する。
　相違点１’は相違点１の「第１設定手段」に関して「操作部が操作されることによって」を削除したものであるから、相違点１についての上記「第２　３（５）ア」における検討と同様に、刊行物１発明及び周知の技術に基づいて、当業者が容易になし得たものである。
４　むすび  
　以上のとおりであるから、本願発明は、特許法第２９条第２項の規定により特許を受けることができない。  
　したがって、その余の請求項について検討するまでもなく、本願は、拒絶されるべきものである。  
　よって、結論のとおり審決する。